(57)【要約】【課題】表示部本体とこの表示部本体を支える支持部との着脱が容易化された表示装置を提供する。【解決手段】表示部本体２と、表示部本体２を支持する支持部としての支持柱１２およびベース１３と、支持柱１２に設けられ表示部本体２の背面を吸着する吸盤１１と、吸盤１１による背面の吸着を解除する解除手段としての突起部１１ａとを有する。【選択図】図１
2005006134.tif 000002
【特許請求の範囲】
【請求項１】
表示部本体と、
前記表示部本体を支持する支持部と、
前記支持部に設けられ、前記表示部本体の背面を吸着する吸着手段と、
前記吸着手段による前記背面の吸着を解除する解除手段と
を有する表示装置。
【請求項２】
前記解除手段は、前記吸着手段に設けられている
請求項１に記載の表示装置。
【請求項３】
前記表示部本体の背面は、当該背面の一部に平坦面からなる被吸着面部を有する
請求項１に記載の表示装置。
【請求項４】
前記表示部本体の背面は、当該表示部本体を壁面に設置するための係合部をさらに有する
請求項１に記載の表示装置。
【請求項５】
プレート状の表示装置を支持するのに用いる表示装置用スタンドであって、
前記表示装置を支持する支持部と、
前記支持部に固定され、前記表示装置の背面を吸着する吸着手段と、
前記吸着手段による前記背面の吸着を解除する解除手段と
を有する表示装置用スタンド。
【請求項６】
前記解除手段は、前記吸着手段に設けられている
請求項５に記載の表示装置用スタンド。
【発明の詳細な説明】
【０００１】
【発明の属する技術分野】
本発明は、表示装置および表示装置用スタンドに関する。
【０００２】
【従来の技術】
テレビジョン受像機やコンピュータディスプレイ等に用いる映像デバイスは、従来において主にＣＲＴ（Ｃａｔｈｏｄｅ  Ｒａｙ  Ｔｕｂｅ）であったが、近年においては、液晶表示デバイスや有機ＥＬ（Ｅｌｅｃｔｒｏ  ｌｕｍｉｎｅｓｃｅｎｃｅ）表示デバイス等の薄型で軽量の表示装置に移りかわりつつある。
上記のような薄型で軽量の表示装置は、画面を見やすい位置に置くために、表示部本体をスタンドにより支持する必要がある（たとえば、特許文献１，２を参照）。
【０００３】
【特許文献１】
特開２００２−１７１４６１号公報
【特許文献２】
特開平９−１０５９２３号公報
【０００４】
【発明が解決しようとする課題】
ところで、薄型で軽量の表示装置の表示部本体からスタンドを取り外せば、表示部本体はプレート状であるので持ち運びが非常に容易となる。
一方、スタンドと表示部本体とは、一体となっている場合や、取り外しが可能であってもネジ等を使用した機械的な締結となっているのが一般的である。
このため、従来においては、薄型で軽量の表示部本体のもつ持ち運びやすいという特徴が十分に活用されていなかった。
また、特許文献１に開示されているように、表示部本体にスタンドを収納する収納部を設けることも可能であるが、収納部が必要となり表示部本体の寸法が大きくなる可能性がある。
【０００５】
本発明は、上述した従来の問題に鑑みてなされたものであって、その目的は、表示部本体とこの表示部本体を支える支持部との着脱が容易化された表示装置を提供することにある。
【０００６】
【課題を解決するための手段】
本発明の表示装置は、表示部本体と、前記表示部本体を支持する支持部と、前記支持部に設けられ、前記表示部本体の背面を吸着する吸着手段と、前記吸着手段による前記背面の吸着を解除する解除手段とを有する。
【０００７】
好適には、前記表示部本体の背面は、当該背面の一部に平坦面からなる被吸着面部を有する。
【０００８】
本発明の表示装置用スタンドは、プレート状の表示装置を支持するのに用いる表示装置用スタンドであって、前記表示装置を支持する支持部と、前記支持部に固定され、前記表示装置の背面を吸着する吸着手段と、前記吸着手段による前記背面の吸着を解除する解除手段とを有する。
【０００９】
本発明では、吸着手段によって表示部本体の背面を吸着すると、表示部本体は吸着手段によって支持部に連結され、支持部に支持される。解除手段によって、吸着手段による背面の吸着を解除すると、表示部本体だけが支持部から離れる。
【００１０】
【発明の実施の形態】
以下、本発明の実施の形態について図面を参照して説明する。
図１は、本発明の一実施形態に係る表示装置を示す斜視図である。
図１において、本実施形態に係る表示装置１は、表示部本体２と、スタンド１０とからなる。
なお、表示部本体２は本発明の表示部本体または表示装置の一実施態様であり、スタンド１０は本発明の表示装置用スタンドの一実施態様である。
【００１１】
表示部本体２は、前面側に画像を表示する表示画面２ａを備えている。この表示部本体２は、たとえば、液晶表示デバイスや有機ＥＬ表示デバイス等の薄型のディスプレイであり、矩形状でプレート状の外形を有している。
また、表示部本体２の表示画面２ａの周りは、ケース３で囲まれている。
【００１２】
図２は、表示部本体２の背面２ｂ側の構造を示す図である。
図２に示すように、表示部本体２の背面２ｂの中央部には、矩形状の被吸着面部２ｃが形成されている。
被吸着面部２ｃは、平坦面で構成され、後述する吸盤が確実に吸着するように表面が平滑に形成されている。
【００１３】
表示部本体２の背面２ｂには、後述するフック部材が引っ掛かる係合孔２ｄが上側の２か所に形成されている。なお、係合孔２ｄは本発明の係合部の一実施態様である。
【００１４】
図３は、図２におけるＡ−Ａ線方向の断面図であって、表示部本体２のケース３の背面側の断面図を示している。
図３に示すように、ケース３の背面を構成する部材３ｃは被吸着面部２ｃの部分の厚さＴＨａが他の部分の厚さＴＨｂよりも厚く形成されている。
被吸着面部２ｃを補強したのは、部材３ｃの背面である被吸着面部２ｃに後述する吸盤が吸着したときに、強力な吸着力によって部材３ｃが損傷するのを防止するためである。
【００１５】
図１において、スタンド１０は、ベース１３と、支持柱１２と、吸盤１１とを有する。
なお、スタンド１０のベース１３および支持柱１２は本発明の支持部を構成しており、吸盤１１は本発明の吸着手段の一実施態様である。
【００１６】
ベース１３は、たとえば、テーブル等の水平面上に置かれる。
支持柱１２は、ベース１３上に立設されている。
支持柱１２の先端部に吸盤１１が固定されている。なお、支持柱１２と吸盤１１とを、たとえば、ユニバーサル継手を介して連結し、支持柱１２に対して吸盤１１の姿勢を自在に変更可能な構成とすることも可能である。
【００１７】
吸盤１１は、表示部本体２の被吸着面部２ｃを吸着する。吸盤１１は、天然ゴム、樹脂等の材料で形成されている。
吸盤１１の外側には、突起部１１ａが形成されている。この突起部１１ａを引っ張ることにより吸盤１１が変形し、被吸着面部２ｃと吸盤１１との間に空気が侵入し、吸盤１１の吸着を解除できる。突起部１１ａは、本発明の解除手段の一実施態様である。
【００１８】
次に、上記構成の表示装置１の使用方法の一例について、図４および図５を参照して説明する。
図４（ａ）に示すように、表示部本体２がスタンド１０から外されている状態から、表示部本体２をスタンド１０により支持させるためには、表示部本体２の被吸着面部２ｃを吸盤１１へ強く押し当てる。これにより、図４（ｂ）に示すように、被吸着面部２ｃが吸盤１１によって吸着され、表示部本体２が支持される。
このように、本実施形態では、表示部本体２をスタンド１０で支持した状態で映像を視聴したいときには、被吸着面部２ｃを吸盤１１へ押し当てるだけでよい。
【００１９】
表示装置１の使用者が、たとえば、表示部本体２をスタンド１０から取り外したい場合には、吸盤２の突起部２を引っ張ることにより、ワンタッチで取り外すことができる。
表示部本体２をスタンド１０から取り外すと、表示部本体２には突き出したものが存在しないので、表示部本体２を携行することが非常に容易である。
【００２０】
表示部本体２をスタンド１０ではなく、たとえば、壁に設置したい場合には、図５に示すように、壁面ＷＬに予め設けたフック部材２０に、表示部本体２の係合孔２ｄを引っ掛ける。これにより、表示部本体２を壁面ＷＬに設置することができる。
【００２１】
以上のように、本実施形態によれば、表示部本体２の背面を吸盤１１で直接吸着してスタンド１０へ固定するので、表示部本体２側には、スタンド１０への固定のための機構を何ら設ける必要がない。表示部本体２をスタンド１０から取り外すと、表示部本体２はプレート状であるので、非常に持ち運びが容易となる。
【００２２】
また、表示部本体２のスタンド１０への着脱を、工具を使用することなく行うことができるので、表示部本体２の使い勝手が格段に向上する。すなわち、視聴する場所に応じて、表示部本体２の設置場所を容易に変更することができる。
また、本実施形態によれば、表示部本体２の支持を、スタンド１０だけでなく、壁面においても可能な構成としたので、表示部本体２の利用しやすさが向上する。
【００２３】
なお、表示部本体２が何らかの原因で吸盤１１から外れる可能性がある場合には、表示部本体２を保護する保護機構を表示部本体２自体あるいはスタンド１０側に設けてもよい。しかしながら、表示部本体２（表示装置）の薄型化および軽量化が進めば進むほど、吸盤１１の吸着力のみで表示部本体２を確実に支持することが可能となる。
【００２４】
本発明は上述した実施形態に限定されない。
上述した実施形態では、本発明の支持部として、支持柱１２およびベース１３を例示したが、これに限定されない。たとえば、これらの代わりに、フレキシブルアーム等の他の支持手段を適用することも可能である。
また、上述した実施形態では、本発明の解除手段として、突起部１１ａを例示し、この突起部１１ａを引っ張ることにより吸着を解除する構成としたが、突起部１１ａをたとえば、押圧したり、傾斜させたりすることで吸盤１１を変形させ吸着を解除する構成も可能である。
【００２５】
【発明の効果】
本発明によれば、表示部本体とこの表示部本体を支える支持部との着脱が容易化された表示装置および表示装置用スタンドが提供される。
【図面の簡単な説明】
【図１】本発明の一実施形態に係る表示装置を示す斜視図である。
【図２】表示部本体２の背面２ｂ側の構造を示す図である。
【図３】図２におけるＡ−Ａ線方向の断面図である。
【図４】表示部本体を吸盤から取り外した状態と、表示部本体を吸盤で吸着した状態とを示す側面図である。
【図５】表示部本体の背面に形成された係合孔の使用方法を説明するための図である。
【符号の説明】
１…表示装置、２…表示部本体、３…ケース、１０…スタンド、１１…吸盤（吸着手段）、１１ａ…突起部（解除手段）、１２…支持柱、１３…ベース、２０…フック部材。
【図１】
2005006134.tif 000003
【図２】
2005006134.tif 000004
【図３】
2005006134.tif 000005
【図４】
2005006134.tif 000006
【図５】
2005006134.tif 000007